(57)【要約】【課題】ＴＮ型でかつノーマリーホワイトの液晶パネルを複数備えるプロジェクタにおいて、光利用効率をさらに向上することが可能なプロジェクタを提供する。【解決手段】照明装置と、色分離光学系と、ＴＮ型でかつノーマリーホワイトの液晶パネルを有し、３つの色光をそれぞれ画像情報に応じて変調する液晶ライトバルブ４００Ｒ，４００Ｇ，４００Ｂと、色合成光学系と、投写光学系とを備えるプロジェクタ１０００。液晶ライトバルブは、液晶パネルに対して電圧を印加しない電圧ＯＦＦ状態のときに当該液晶ライトバルブの光透過率が最大となる光の波長域が、当該液晶ライトバルブが配置される光路の色光の波長域と同じ又はそれよりも長波長側に存在するように構成されており、プロジェクタが最高輝度の画像を表示する場合に、液晶ライトバルブ４００Ｇ，４００Ｂの液晶パネルに対して、所定のバイアス電圧を印加する電圧印加装置をさらに備える。【選択図】図１
2009186953.tif 000002
【特許請求の範囲】
【請求項１】
照明光束を射出する照明装置と、
前記照明装置からの光を複数の色光に分離して被照明領域に導光する色分離光学系と、
ＴＮ型でかつノーマリーホワイト方式の液晶パネル及び前記液晶パネルの光射出側に配置される射出側偏光板を有し、前記色分離光学系により導光された複数の色光をそれぞれ画像情報に応じて変調する複数の液晶ライトバルブと、
前記複数の液晶ライトバルブによって変調された各色光を合成する色合成光学系と、
前記色合成光学系で合成された画像光を投写する投写光学系と、
前記複数の液晶ライトバルブの駆動を制御する液晶駆動装置とを備えるプロジェクタであって、
前記複数の液晶ライトバルブのそれぞれは、前記液晶パネルに対して電圧を印加しない電圧ＯＦＦ状態のときに当該液晶ライトバルブの光透過率が最大となる光の波長域が、当該液晶ライトバルブが配置される光路の色光の波長域と同じになるように又はそれよりも長波長側に存在するように構成されており、
前記プロジェクタが最高輝度の画像を表示する場合に、前記複数の液晶ライトバルブのうち、前記電圧ＯＦＦ状態のときに前記液晶ライトバルブの光透過率が最大となる光の波長域が、前記液晶ライトバルブが配置される光路の色光の波長域よりも長波長側に存在するように構成された前記液晶ライトバルブの前記液晶パネルに対して、所定のバイアス電圧を印加する電圧印加装置をさらに備えることを特徴とするプロジェクタ。
【請求項２】
請求項１に記載のプロジェクタにおいて、
前記複数の液晶ライトバルブは、前記液晶パネルに対して電圧を印加しない電圧ＯＦＦ状態のときに当該液晶ライトバルブの光透過率が最大となる光の波長域が、前記色分離光学系で分離される前記複数の色光のうち最も長波長となる色光の波長域と同じ波長域に存在するように構成されていることを特徴とするプロジェクタ。
【請求項３】
照明光束を射出する照明装置と、
前記照明装置からの光を複数の色光に分離して被照明領域に導光する色分離光学系と、
ＶＡ型でかつノーマリーブラック方式の液晶パネル及び前記液晶パネルの光射出側に配置される射出側偏光板を有し、前記色分離光学系により導光された複数の色光をそれぞれ画像情報に応じて変調する複数の液晶ライトバルブと、
前記複数の液晶ライトバルブによって変調された各色光を合成する色合成光学系と、
前記色合成光学系で合成された画像光を投写する投写光学系と、
前記複数の液晶ライトバルブの駆動を制御する液晶駆動装置とを備えるプロジェクタであって、
前記複数の液晶ライトバルブのそれぞれは、前記液晶パネルに対して所定の第１電圧を印加した電圧ＯＮ状態のときに当該液晶ライトバルブの光透過率が最大となる光の波長域が、当該液晶ライトバルブが配置される光路の色光の波長域と同じになるように又はそれよりも長波長側に存在するように構成されており、
前記液晶駆動装置は、前記プロジェクタが最高輝度の画像を表示する場合に、前記複数の液晶ライトバルブのうち、前記電圧ＯＮ状態のときに前記液晶ライトバルブの光透過率が最大となる光の波長域が、前記液晶ライトバルブが配置される光路の色光の波長域よりも長波長側に存在するように構成された前記液晶ライトバルブの前記液晶パネルに対して、前記第１電圧よりも低い所定の第２電圧を印加する機能を有することを特徴とするプロジェクタ。
【請求項４】
請求項３に記載のプロジェクタにおいて、
前記複数の液晶ライトバルブは、前記液晶パネルに対して前記第１電圧を印加した電圧ＯＮ状態のときに当該液晶ライトバルブの光透過率が最大となる光の波長域が、前記色分離光学系で分離される前記複数の色光のうち最も長波長となる色光の波長域と同じ波長域に存在するように構成されていることを特徴とするプロジェクタ。
【請求項５】
請求項１又は３に記載のプロジェクタにおいて、
前記複数の液晶ライトバルブのうち少なくとも２つの前記液晶ライトバルブは、同一の構成からなることを特徴とするプロジェクタ。
【請求項６】
請求項１〜５のいずれかに記載のプロジェクタにおいて、
前記所定のバイアス電圧又は前記所定の第２電圧は、視感度が最大となる波長域における前記液晶ライトバルブの光透過率が最大となる電圧であることを特徴とするプロジェクタ。
【請求項７】
請求項１〜５のいずれかに記載のプロジェクタにおいて、
前記所定のバイアス電圧又は前記所定の第２電圧は、三刺激値が最大となる波長域における前記液晶ライトバルブの光透過率が最大となる電圧であることを特徴とするプロジェクタ。
【発明の詳細な説明】
【技術分野】
【０００１】
本発明は、プロジェクタに関する。
【背景技術】
【０００２】
従来、ＴＮ（Ｔｗｉｓｔｅｄ  Ｎｅｍａｔｉｃ）型でかつノーマリーホワイト方式の液晶パネル及び射出側偏光板を有する複数の液晶ライトバルブを備えるプロジェクタが知られている（例えば、特許文献１参照。）。ノーマリーホワイト方式の液晶パネルとは、電圧がかかっていないときに光透過率が最大となり、白い画面となる液晶パネルのことをいう。
【０００３】
【特許文献１】特開２００３−１３１３２０号公報
【発明の開示】
【発明が解決しようとする課題】
【０００４】
ところで、従来のプロジェクタのようにＴＮ型でかつノーマリーホワイト方式の液晶パネルを複数備えるプロジェクタにおいては、光利用効率をさらに向上したいという要望がある。
【０００５】
なお、ＴＮ型でかつノーマリーホワイト方式の液晶パネルを複数備えるプロジェクタにのみ、このような要望があるわけでなく、例えばＶＡ（Ｖｅｒｔｉｃａｌ  Ａｌｉｇｎｍｅｎｔ）型でかつノーマリーブラック方式の液晶パネルを複数備えるプロジェクタにおいても、光利用効率をさらに向上したいという要望がある。ノーマリーブラック方式の液晶パネルとは、ノーマリーホワイト方式の液晶パネルとは逆に、電圧がかかっていないときに光透過率が最小となり、黒い画面となる液晶パネルのことをいう。
【０００６】
そこで、本発明は、このような事情に鑑みてなされたもので、ＴＮ型でかつノーマリーホワイト方式の液晶パネルを複数備えるプロジェクタにおいて、光利用効率をさらに向上することが可能なプロジェクタを提供することを第１の目的とする。また、ＶＡ型でかつノーマリーブラック方式の液晶パネルを複数備えるプロジェクタにおいて、光利用効率をさらに向上することが可能なプロジェクタを提供することを第２の目的とする。
【課題を解決するための手段】
【０００７】
本発明者は、上記第１の目的を達成するため、従来のＴＮ型でかつノーマリーホワイト方式の液晶パネルを複数備えるプロジェクタにおいて、光利用効率の向上を阻んでいる原因を徹底的に調査した。その結果、その原因は、「各色光の光路に配置される液晶ライトバルブは、液晶パネルに対して電圧を印加しない電圧ＯＦＦ状態のときに液晶ライトバルブの光透過率が最大となる光の波長域が、明るさを重視して緑色光の波長域近辺に存在するように構成されていること」に起因しているという知見を得た。
なお、この明細書において「液晶ライトバルブの光透過率」とは、液晶ライトバルブに入射する光に対する液晶ライトバルブから射出される光の割合のことをいう。
【０００８】
図７は、従来のプロジェクタにおける問題点を説明するために示す図である。図７においては、液晶パネルに対して電圧を印加しない電圧ＯＦＦ状態のときの、各液晶ライトバルブの液晶パネルに入射する光の偏光状態（直線偏光、楕円偏光、円偏光）を模式的に示している。
【０００９】
従来のＴＮ型でかつノーマリーホワイト方式の液晶パネルを複数備えるプロジェクタにおいては、赤色光用の液晶ライトバルブ、緑色光用の液晶ライトバルブ及び青色光用の液晶ライトバルブとして、液晶パネルに対して電圧を印加しない電圧ＯＦＦ状態のときに、青色光と緑色光との間の波長域において液晶ライトバルブの光透過率が最大となるように構成された同一種の液晶ライトバルブを用いている。
【００１０】
このとき、各液晶ライトバルブで変調される色光の波長域（λR，λG，λB）と、液晶パネルが電圧ＯＦＦ状態のときに液晶ライトバルブの光透過率が最大となる波長域（λA）との間に波長差（Δλ）が生じているため、図７に示すように、青色光については、光の偏光軸が９０度以上に回転し過ぎてしまう一方、緑色光及び赤色光については、光の偏光軸の回転が足りない状態となってしまう。これらは、青色光、緑色光及び赤色光の間の屈折率に起因する。このため、各液晶ライトバルブの液晶パネルを電圧ＯＦＦ状態にした場合に、赤色光、緑色光及び青色光のすべての色光において光を損失してしまい、光利用効率が低下する。特に、赤色光については他の色光よりも上述の波長差（Δλ）が大きいことから、液晶パネルを電圧ＯＦＦ状態にした場合の光の損失も大きくなる。その結果、赤色光の光利用効率は、他の色光の光利用効率よりも低下することとなる。
【００１１】
本発明者は、上記の知見を見出す過程において、プロジェクタが最高輝度の画像を表示する場合に、液晶パネルに対して電圧を印加しない電圧ＯＦＦ状態のときに液晶ライトバルブの光透過率が最大となる光の波長域（λA）が、当該液晶ライトバルブが配置される光路の色光の波長域（λR，λG，λB）よりも長波長側に存在するように構成された液晶ライトバルブの液晶パネルに対して、所定のバイアス電圧を印加すると、光の偏光軸が９０度以上に回転し過ぎていたものを戻すことができ、当該液晶ライトバルブが配置される光路の色光の光透過率を最大に近づける、または上記波長域（λR，λG，λB）の対応する色光の光路に配置される液晶ライトバルブの光透過率を揃えることが可能であるという新たな知見も得た。
【００１２】
すなわち、複数の液晶ライトバルブが、上記波長域（λA）が上記波長域（λR，λG，λB）よりも長波長側に存在するように構成された液晶ライトバルブである場合、所定のバイアス電圧を印加すれば、光の偏光軸が９０度以上に回転し過ぎていたものを戻すことができ、当該液晶ライトバルブが配置される光路の色光の光透過率を最大に近づける、または上記波長域（λR，λG，λB）の対応する色光の光路に配置される液晶ライトバルブの光透過率を揃えることが可能となる。これにより、液晶パネルが電圧ＯＦＦ状態のときの波長域（λA）の液晶ライトバルブの光透過率と、所定のバイアス電圧を印加された液晶ライトバルブが配置される光路の色光の波長域（λR，λG，λB）の光透過率との差を小さくする、またはその差を無くすることが可能となるため、上述した光の損失の発生を抑制することができ、光利用効率の低下を抑制することが可能となる。
【００１３】
本発明者は、以上の知見に基づいて、（１）上記波長域（λA）が上記波長域（λR，λG，λB）と同じになるように又はそれよりも長波長側に存在するように構成された液晶ライトバルブを、各色光の光路にそれぞれ配置し、（２）プロジェクタが最高輝度の画像を表示する場合に、上記波長域（λA）が上記波長域（λR，λG，λB）よりも長波長側に存在するように構成された液晶ライトバルブの液晶パネルに対して、所定のバイアス電圧を印加すれば、結果として、光利用効率をさらに向上することが可能となることに想到し、本発明を完成させるに至った。
【００１４】
すなわち、本発明のプロジェクタは、照明光束を射出する照明装置と、前記照明装置からの光を複数の色光に分離して被照明領域に導光する色分離光学系と、ＴＮ型でかつノーマリーホワイト方式の液晶パネル及び前記液晶パネルの光射出側に配置される射出側偏光板を有し、前記色分離光学系により導光された複数の色光をそれぞれ画像情報に応じて変調する複数の液晶ライトバルブと、前記複数の液晶ライトバルブによって変調された各色光を合成する色合成光学系と、前記色合成光学系で合成された画像光を投写する投写光学系と、前記複数の液晶ライトバルブの駆動を制御する液晶駆動装置とを備えるプロジェクタであって、前記複数の液晶ライトバルブのそれぞれは、前記液晶パネルに対して電圧を印加しない電圧ＯＦＦ状態のときに当該液晶ライトバルブの光透過率が最大となる光の波長域が、当該液晶ライトバルブが配置される光路の色光の波長域と同じになるように又はそれよりも長波長側に存在するように構成されており、前記プロジェクタが最高輝度の画像を表示する場合に、前記複数の液晶ライトバルブのうち、前記電圧ＯＦＦ状態のときに前記液晶ライトバルブの光透過率が最大となる光の波長域が、前記液晶ライトバルブが配置される光路の色光の波長域よりも長波長側に存在するように構成された前記液晶ライトバルブの前記液晶パネルに対して、所定のバイアス電圧を印加する電圧印加装置をさらに備えることを特徴とする。
【００１５】
このため、本発明のプロジェクタによれば、複数の液晶ライトバルブのそれぞれが、（１）液晶パネルに対して電圧を印加しない電圧ＯＦＦ状態のときに当該液晶ライトバルブの光透過率が最大となる光の波長域（λA）が、当該液晶ライトバルブが配置される光路の色光の波長域（λR，λG，λB）と同じになるように又はそれよりも長波長側に存在するように構成されているとともに、（２）上述の電圧印加装置を備えているため、上記波長域（λA）が上記波長域（λR，λG，λB）よりも長波長側に存在するように構成された液晶ライトバルブの液晶パネルに対して、電圧印加装置が所定のバイアス電圧を印加することにより、当該液晶ライトバルブが配置される光路の色光の光透過率を最大に近づける、または上記波長域（λR，λG，λB）の対応する色光の光路に配置される液晶ライトバルブの光透過率を揃えることが可能となる。その結果、前記電圧ＯＦＦ状態の液晶ライトバルブの波長域（λA）の光透過率と、所定のバイアス電圧を印加された液晶ライトバルブが配置される光路の色光に対応する波長域（λR，λG，λB）の光透過率との差を小さくする、またはその差を無くすることが可能となるため、液晶ライトバルブにおける光の損失の発生を抑制することができ、光利用効率の低下を抑制することが可能となる。
【００１６】
したがって、本発明のプロジェクタは、ＴＮ型でかつノーマリーホワイト方式の液晶パネルを複数備えるプロジェクタにおいて、光利用効率をさらに向上することが可能なプロジェクタとなる。
【００１７】
ところで、近年は、家庭で映画等を鑑賞するためのホーム用プロジェクタに対する需要が飛躍的に増加している。このようなホーム用プロジェクタにおいては、暗いシーンの再現性を向上したり人物の肌色を滑らかに再現したりすることが重要であるため、色温度が低く、投影される白い画像の色座標が黒体軌跡上に近い方がより好ましい。しかしながら、従来のＴＮ型でかつノーマリーホワイト方式の液晶パネルを複数備えるプロジェクタにおいては、上述のように赤色光の光利用効率が低いため、明るさを維持しつつ色温度を低下させたり、投影される白い画像の色座標が黒体軌跡上に近づけさせたりすることは困難である。
これに対し、本発明のプロジェクタによれば、上述のように、赤色光の光利用効率を向上することが可能となるため、明るさを維持しつつ色温度を低下させたり、投影される白い画像の色座標が黒体軌跡上に近づけさせたりすることが可能となる。その結果、本発明のプロジェクタは、家庭で映画等を鑑賞するためのホーム用プロジェクタに対して特に効果が大きい。
【００１８】
本発明のプロジェクタにおいては、前記複数の液晶ライトバルブは、前記液晶パネルに対して電圧を印加しない電圧ＯＦＦ状態のときに当該液晶ライトバルブの光透過率が最大となる光の波長域が、前記色分離光学系で分離される前記複数の色光のうち最も長波長となる色光の波長域と同じ波長域に存在するように構成されていることが好ましい。
【００１９】
このように構成することにより、すべての液晶ライトバルブの構成を同じものとすることができるため、プロジェクタを製造する際のコストを低減することが可能となる。
【００２０】
本発明者は、上記第２の目的を達成するため、従来のＶＡ型でかつノーマリーブラック方式の液晶パネルを複数備えるプロジェクタにおいて、光利用効率の向上を阻んでいる原因を徹底的に調査した。その結果、その原因は、「各色光の光路に配置される液晶ライトバルブは、液晶パネルに対して電圧を印加した電圧ＯＮ状態のときに液晶ライトバルブの光透過率が最大となる光の波長域が、青色光と緑色光との間の波長域に存在するように構成されていること」に起因しているという知見を得た。
【００２１】
図８は、従来のプロジェクタにおける問題点を説明するために示す図である。図８においては、液晶パネルに対して所定の第１電圧を印加した電圧ＯＮ状態のときの、各液晶ライトバルブの液晶パネルに入射する光の偏光状態（直線偏光、楕円偏光、円偏光）を模式的に示している。
【００２２】
従来のＶＡ型でかつノーマリーブラック方式の液晶パネルを複数備えるプロジェクタにおいては、赤色光用の液晶ライトバルブ、緑色光用の液晶ライトバルブ及び青色光用の液晶ライトバルブとして、液晶パネルに対して電圧を印加した電圧ＯＮ状態のときに、青色光と緑色光との間の波長域において液晶ライトバルブの光透過率が最大となるように構成された同一種の液晶ライトバルブを用いている。
【００２３】
このとき、各液晶ライトバルブで変調される色光の波長域（λR，λG，λB）と、液晶パネルが電圧ＯＮ状態のときに液晶ライトバルブの光透過率が最大となる波長域（λA）との間に波長差（Δλ）が生じているため、図８に示すように、青色光については、光の偏光軸が９０度以上に回転し過ぎてしまう一方、緑色光及び赤色光については、光の偏光軸の回転が足りない状態となってしまう。これらは、青色光、緑色光及び赤色光の間の屈折率に起因する。このため、各液晶ライトバルブの液晶パネルを電圧ＯＮ状態にした場合に、赤色光、緑色光及び青色光のすべての色光において光を損失してしまい、光利用効率が低下する。特に、赤色光については他の色光よりも上述の波長差（Δλ）が大きいことから、液晶パネルを電圧ＯＮ状態にした場合の光の損失も大きくなる。その結果、赤色光の光利用効率は、他の色光の光利用効率よりも低下することとなる。
【００２４】
本発明者は、上記の知見を見出す過程において、プロジェクタが最高輝度の画像を表示する場合に、液晶パネルに対して所定の第１電圧を印加した電圧ＯＮ状態のときに液晶ライトバルブの光透過率が最大となる光の波長域（λA）が、当該液晶ライトバルブが配置される光路の色光の波長域（λR，λG，λB）よりも長波長側に存在するように構成された液晶ライトバルブの液晶パネルに対して、第１電圧よりも低い所定の第２電圧を印加すると、光の偏光軸が９０度以上に回転し過ぎていたものを戻すことができ、当該液晶ライトバルブが配置される光路の色光の光透過率を最大に近づける、または上記波長域（λR，λG，λB）の対応する色光の光路に配置される液晶ライトバルブの光透過率を揃えることが可能であるという新たな知見も得た。
【００２５】
すなわち、複数の液晶ライトバルブが、上記波長域（λA）が上記波長域（λR，λG，λB）よりも長波長側に存在するように構成された液晶ライトバルブである場合、第１電圧よりも低い第２電圧を印加すれば、光の偏光軸が９０度以上に回転し過ぎていたものを戻すことができ、当該液晶ライトバルブが配置される光路の色光の光透過率を最大に近づける、または上記波長域（λR，λG，λB）の対応する色光の光路に配置される液晶ライトバルブの光透過率を揃えることが可能となる。これにより、第１電圧が印加された液晶パネルの波長域（λA）の液晶ライトバルブの光透過率と、第２電圧が印加された液晶ライトバルブが配置される光路の対応する色光の波長域（λR，λG，λB）の光透過率との差を小さくする、またはその差を無くすることが可能となるため、上述した光の損失の発生を抑制することができ、光利用効率の低下を抑制することが可能となる。
【００２６】
本発明者は、以上の知見に基づいて、（１）上記波長域（λA）が上記波長域（λR，λG，λB）と同じになるように又はそれよりも長波長側に存在するように構成された液晶ライトバルブを、各色光の光路にそれぞれ配置し、（２）プロジェクタが最高輝度の画像を表示する場合に、上記波長域（λA）が上記波長域（λR，λG，λB）よりも長波長側に存在するように構成された液晶ライトバルブの液晶パネルに対して、第１電圧よりも低い所定の第２電圧を印加すれば、結果として、光利用効率をさらに向上することが可能となることに想到し、本発明を完成させるに至った。
【００２７】
本発明のプロジェクタは、照明光束を射出する照明装置と、前記照明装置からの光を複数の色光に分離して被照明領域に導光する色分離光学系と、ＶＡ型でかつノーマリーブラック方式の液晶パネル及び前記液晶パネルの光射出側に配置される射出側偏光板を有し、前記色分離光学系により導光された複数の色光をそれぞれ画像情報に応じて変調する複数の液晶ライトバルブと、前記複数の液晶ライトバルブによって変調された各色光を合成する色合成光学系と、前記色合成光学系で合成された画像光を投写する投写光学系と、前記複数の液晶ライトバルブの駆動を制御する液晶駆動装置とを備えるプロジェクタであって、前記複数の液晶ライトバルブのそれぞれは、前記液晶パネルに対して所定の第１電圧を印加した電圧ＯＮ状態のときに当該液晶ライトバルブの光透過率が最大となる光の波長域が、当該液晶ライトバルブが配置される光路の色光の波長域と同じになるように又はそれよりも長波長側に存在するように構成されており、前記プロジェクタが最高輝度の画像を表示する場合に、前記複数の液晶ライトバルブのうち、前記電圧ＯＮ状態のときに前記液晶ライトバルブの光透過率が最大となる光の波長域が、前記液晶ライトバルブが配置される光路の色光の波長域よりも長波長側に存在するように構成された前記液晶ライトバルブの前記液晶パネルに対して、前記第１電圧よりも低い所定の第２電圧を印加する電圧印加装置をさらに備えることを特徴とする。
【００２８】
このため、本発明のプロジェクタによれば、複数の液晶ライトバルブのそれぞれが、（１）液晶パネルに対して所定の第１電圧を印加した電圧ＯＮ状態のときに当該液晶ライトバルブの光透過率が最大となる光の波長域（λA）が、当該液晶ライトバルブが配置される光路の色光の波長域（λR，λG，λB）と同じになるように又はそれよりも長波長側に存在するように構成されているとともに、（２）上述の電圧印加装置を備えているため、上記波長域（λA）が上記波長域（λR，λG，λB）よりも長波長側に存在するように構成された液晶ライトバルブの液晶パネルに対して、電圧印加装置が所定の第２電圧を印加することにより、当該液晶ライトバルブが配置される光路の色光の光透過率を最大に近づける、または上記波長域（λR，λG，λB）の対応する色光の光路に配置される液晶ライトバルブの光透過率を揃えることが可能となる。その結果、液晶パネルに前記第１電圧が印加された液晶ライトバルブの波長域（λA）の光透過率と、液晶パネルに前記第２の電圧が印加された液晶ライトバルブが配置される光路の色光に対応する波長域（λR，λG，λB）の光透過率との差を小さくする、またはその差を無くすることが可能となるため、液晶ライトバルブにおける光の損失の発生を抑制することができ、光利用効率の低下を抑制することが可能となる。
【００２９】
したがって、本発明のプロジェクタは、ＶＡ型でかつノーマリーブラック方式の液晶パネルを複数備えるプロジェクタにおいて、光利用効率をさらに向上することが可能なプロジェクタとなる。
【００３０】
ところで、近年は、家庭で映画等を鑑賞するためのホーム用プロジェクタに対する需要が飛躍的に増加している。このようなホーム用プロジェクタにおいては、暗いシーンの再現性を向上したり人物の肌色を滑らかに再現したりすることが重要であるため、色温度が低く、投影される白い画像の色座標が黒体軌跡上に近い方がより好ましい。しかしながら、従来のＶＡ型でかつノーマリーブラック方式の液晶パネルを複数備えるプロジェクタにおいては、上述のように赤色光の光利用効率が低いため、明るさを維持しつつ色温度を低下させたり、投影される白い画像の色座標が黒体軌跡上に近づけさせたりすることは困難である。
これに対し、本発明のプロジェクタによれば、上述のように、赤色光の光利用効率を向上することが可能となるため、明るさを維持しつつ色温度を低下させたり、投影される白い画像の色座標が黒体軌跡上に近づけさせたりすることが可能となる。その結果、本発明のプロジェクタは、家庭で映画等を鑑賞するためのホーム用プロジェクタに対して特に効果が大きい。
【００３１】
本発明のプロジェクタにおいては、前記複数の液晶ライトバルブは、前記液晶パネルに対して前記第１電圧を印加した電圧ＯＮ状態のときに当該液晶ライトバルブの光透過率が最大となる光の波長域が、前記色分離光学系で分離される前記複数の色光のうち最も長波長となる色光の波長域と同じ波長域に存在するように構成されていることが好ましい。
【００３２】
このように構成することにより、すべての液晶ライトバルブの構成を同じものとすることができるため、プロジェクタを製造する際のコストを低減することが可能となる。
【００３３】
本発明のプロジェクタにおいては、前記複数の液晶ライトバルブのうち少なくとも２つの前記液晶ライトバルブは、同一の構成からなることが好ましい。
【００３４】
このように構成することによっても、プロジェクタを製造する際のコストを低減することが可能となる。
【００３５】
本発明のプロジェクタにおいては、前記所定のバイアス電圧又は前記所定の第２電圧は、視感度が最大となる波長域における前記液晶ライトバルブの光透過率が最大となる電圧であることが好ましい。
【００３６】
このように構成することにより、より明るい投写画像を得ることが可能となる。
【００３７】
本発明のプロジェクタにおいては、前記所定のバイアス電圧又は前記所定の第２電圧は、三刺激値が最大となる波長域における前記液晶ライトバルブの光透過率が最大となる電圧であることが好ましい。
【００３８】
このように構成することにより、より鮮やかな画像を得ることが可能となる。
【発明を実施するための最良の形態】
【００３９】
以下、本発明のプロジェクタについて、図に示す実施の形態に基づいて説明する。
【００４０】
［実施形態１］
実施形態１では、ＴＮ型でかつノーマリーホワイト方式の液晶パネルを複数備えるプロジェクタの場合について説明する。
図１は、実施形態１に係るプロジェクタ１０００の光学系を示す図である。
図２は、実施形態１に係るプロジェクタ１０００を説明するために示す図である。図２（ａ）は後述する比較例に係るプロジェクタ１０００ａにおける液晶パネルに印加する所定のバイアス電圧と液晶ライトバルブの光透過率との関係を示す図であり、図２（ｂ）は実施形態１に係るプロジェクタ１０００における液晶パネルに印加する所定のバイアス電圧と液晶ライトバルブの光透過率との関係を示す図である。
図３は、実施形態１に係るプロジェクタ１０００を説明するために示す図である。図３（ａ）は液晶パネル４１０Ｒ，４１０Ｇ，４１０Ｂに対して電圧を印加しない電圧ＯＦＦ状態のときの、液晶パネル４１０Ｒ，４１０Ｇ，４１０Ｂに入射する光の偏光状態（直線偏光、楕円偏光、円偏光）を模式的に示す図であり、図３（ｂ）は液晶パネル４１０Ｇ，４１０Ｂに対して所定のバイアス電圧が印加されたときの、液晶パネル４１０Ｒ，４１０Ｇ，４１０Ｂに入射する光の偏光状態を模式的に示す図である。
【００４１】
実施形態１に係るプロジェクタ１０００は、図１に示すように、照明装置１００と、照明装置１００からの照明光束を赤色光、緑色光及び青色光の３つの色光に分離して被照明領域に導光する色分離光学系２００と、色分離光学系２００で分離された３つの色光のそれぞれを画像情報に応じて変調する３つの液晶ライトバルブ４００Ｒ，４００Ｇ，４００Ｂと、３つの液晶ライトバルブ４００Ｒ，４００Ｇ，４００Ｂによって変調された色光を合成する色合成光学系としてのクロスダイクロイックプリズム５００と、クロスダイクロイックプリズム５００によって合成された光をスクリーンＳＣＲ等の投写面に投写する投写光学系６００と、画像情報に基づいて液晶ライトバルブ４００Ｒ，４００Ｇ，４００Ｂにおける液晶パネル４１０Ｒ，４１０Ｇ，４１０Ｂを駆動する液晶駆動装置７００（図示せず。）と、電圧印加装置７１０（図示せず。）とを備えたプロジェクタである。
【００４２】
照明装置１００は、被照明領域側に照明光束を射出する光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光に変換して射出する偏光変換素子１４０と、偏光変換素子１４０から射出される各部分光束を被照明領域で重畳させるための重畳レンズ１５０とを有する。
【００４３】
光源装置１１０は、楕円面リフレクタ１１４と、楕円面リフレクタ１１４の第１焦点近傍に発光中心を有する発光管１１２と、発光管１１２から被照明領域側に向けて射出される光を発光管１１２に向けて反射する副鏡１１６と、楕円面リフレクタ１１４からの集束光を略平行光として射出する凹レンズ１１８とを有する。光源装置１１０は、照明光軸ＯＣを中心軸とする光束を射出する。
【００４４】
発光管１１２は、管球部と、管球部の両側に延びる一対の封止部とを有する。管球部は、球状に形成された石英ガラス製であって、この管球部内に配置された一対の電極と、管球部内に封入された水銀、希ガス及び少量のハロゲンとを有する。発光管１１２としては、種々の発光管を採用でき、例えば、メタルハライドランプ、高圧水銀ランプ、超高圧水銀ランプ等を採用できる。
【００４５】
楕円面リフレクタ１１４は、発光管１１２の一方の封止部に挿通・固着される筒状の首状部と、発光管１１２から放射された光を第２焦点位置に向けて反射する反射凹面とを有する。
【００４６】
副鏡１１６は、発光管１１２の管球部の略半分を覆い、楕円面リフレクタ１１４の反射凹面と対向して配置される反射手段である。副鏡１１６は、発光管１１２の他方の封止部に挿通・固着されている。副鏡１１６は、発光管１１２から放射された光のうち楕円面リフレクタ１１４に向かわない光を発光管１１２に戻し、楕円面リフレクタ１１４に入射させる。
【００４７】
凹レンズ１１８は、楕円面リフレクタ１１４の被照明領域側に配置されている。そして、楕円面リフレクタ１１４からの光を第１レンズアレイ１２０に向けて射出するように構成されている。
【００４８】
第１レンズアレイ１２０は、凹レンズ１１８からの光を複数の部分光束に分割する光束分割光学素子としての機能を有し、複数の第１小レンズ１２２が照明光軸ＯＣと直交する面内に複数行・複数列のマトリクス状に配列された構成を有する。図示による説明は省略するが、第１小レンズ１２２の外形形状は、後述する液晶パネル４１０Ｒ，４１０Ｇ，４１０Ｂの画像形成領域の外形形状に関して相似形である。
【００４９】
第２レンズアレイ１３０は、重畳レンズ１５０とともに、第１レンズアレイ１２０の各第１小レンズ１２２の像を液晶パネル４１０Ｒ，４１０Ｇ，４１０Ｂの画像形成領域近傍に結像させる機能を有する。第２レンズアレイ１３０は、第１レンズアレイ１２０と略同様な構成を有し、複数の第２小レンズ１３２が照明光軸ＯＣに直交する面内に複数行・複数列のマトリクス状に配列された構成を有する。
【００５０】
偏光変換素子１４０は、第１レンズアレイ１２０により分割された各部分光束の偏光方向を、偏光方向の揃った略１種類の直線偏光として射出する偏光変換素子である。
偏光変換素子１４０は、光源装置１１０からの照明光束のうち一方の偏光成分（例えばＰ偏光成分）を有する光を透過し他方の偏光成分（例えばＳ偏光成分）を有する光を照明光軸ＯＣに垂直な方向に反射する偏光分離層と、偏光分離層で反射された他方の偏光成分を有する光を照明光軸ＯＣに平行な方向に反射する反射層と、偏光分離層を透過した一方の偏光成分を有する光を他方の偏光成分を有する光に変換する位相差板とを有する。
【００５１】
重畳レンズ１５０は、第１レンズアレイ１２０、第２レンズアレイ１３０及び偏光変換素子１４０を経た複数の部分光束を集光して液晶パネル４１０Ｒ，４１０Ｇ，４１０Ｂの画像形成領域近傍に重畳させるための光学素子である。重畳レンズ１５０は、重畳レンズ１５０の光軸と照明装置１００の照明光軸ＯＣとが略一致するように配置されている。なお、重畳レンズ１５０は、複数のレンズを組み合わせた複合レンズで構成されていてもよい。
【００５２】
色分離光学系２００は、ダイクロイックミラー２１０，２２０と、反射ミラー２３０，２４０，２５０と、入射側レンズ２６０と、リレーレンズ２７０とを有する。色分離光学系２００は、重畳レンズ１５０から射出される照明光束を、赤色光、緑色光及び青色光の３つの色光に分離して、それぞれの色光を照明対象となる３つの液晶ライトバルブ４００Ｒ，４００Ｇ，４００Ｂに導く機能を有する。
【００５３】
ダイクロイックミラー２１０，２２０は、所定の波長領域の光束を反射し他の波長領域の光束を透過する波長選択膜が基板上に形成された光学素子である。光路前段に配置されるダイクロイックミラー２１０は、赤色光成分を反射し、その他の色光成分を透過させるミラーである。光路後段に配置されるダイクロイックミラー２２０は、緑色光成分を反射し、青色光成分を透過させるミラーである。
【００５４】
ダイクロイックミラー２１０で反射された赤色光成分は、反射ミラー２３０により曲折され、集光レンズ３００Ｒを介して赤色光用の液晶ライトバルブ４００Ｒに入射する。集光レンズ３００Ｒは、重畳レンズ１５０からの各部分光束を各主光線に対して略平行な光束に変換するために設けられている。なお、他の集光レンズ３００Ｇ，３００Ｂも、集光レンズ３００Ｒと同様に構成されている。
【００５５】
ダイクロイックミラー２１０を通過した緑色光成分及び青色光成分のうち緑色光成分は、ダイクロイックミラー２２０で反射され、集光レンズ３００Ｇを通過して緑色光用の液晶ライトバルブ４００Ｇに入射する。一方、青色光成分は、ダイクロイックミラー２２０を透過し、入射側レンズ２６０、入射側の反射ミラー２４０、リレーレンズ２７０、射出側の反射ミラー２５０及び集光レンズ３００Ｂを通過して青色光用の液晶ライトバルブ４００Ｂに入射する。入射側レンズ２６０、リレーレンズ２７０及び反射ミラー２４０，２５０は、ダイクロイックミラー２２０を透過した青色光成分を液晶ライトバルブ４００Ｂまで導く機能を有する。
【００５６】
液晶ライトバルブ４００Ｒ，４００Ｇ，４００Ｂは、画像情報に応じて照明光束を変調するものであり、照明装置１００の照明対象となる。
液晶ライトバルブ４００Ｒ，４００Ｇ，４００Ｂは、液晶パネル４１０Ｒ，４１０Ｇ，４１０Ｂと、液晶パネル４１０Ｒ，４１０Ｇ，４１０Ｂの光入射側に配置される入射側偏光板４２０Ｒ，４２０Ｇ，４２０Ｂと、液晶パネル４１０Ｒ，４１０Ｇ，４１０Ｂの光射出側に配置され、入射側偏光板４２０Ｒ，４２０Ｇ，４２０Ｂを透過する光の偏光軸と直交する偏光軸の光を透過する射出側偏光板４３０Ｒ，４３０Ｇ，４３０Ｂとを有する。
【００５７】
液晶パネル４１０Ｒ，４１０Ｇ，４１０Ｂは、一対の透明なガラス基板に電気光学物質である液晶を密閉封入したものであり、ＴＮ型でかつノーマリーホワイト方式の液晶パネルである。例えば、ポリシリコンＴＦＴをスイッチング素子として、与えられた画像情報に従って、入射側偏光板４２０Ｒ，４２０Ｇ，４２０Ｂから射出される１種類の直線偏光の偏光方向を変調する。
【００５８】
入射側偏光板４２０Ｒ，４２０Ｇ，４２０Ｂ、液晶パネル４１０Ｒ，４１０Ｇ，４１０Ｂ及び射出側偏光板４３０Ｒ，４３０Ｇ，４３０Ｂによって入射する各色光の光変調が行われる。
【００５９】
液晶ライトバルブ４００Ｒ，４００Ｇ，４００Ｂのそれぞれは、液晶パネル４１０Ｒ，４１０Ｇ，４１０Ｂに対して電圧を印加しない電圧ＯＦＦ状態のときに液晶ライトバルブ４００Ｒ，４００Ｇ，４００Ｂの光透過率が最大となる光の波長域が、色分離光学系２００で分離される３つの色光（赤色光、緑色光及び青色光）のうち最も長波長となる赤色光の波長域と同じ波長域に存在するように構成されている。
【００６０】
したがって、液晶ライトバルブ４００Ｇ，４００Ｂは、電圧ＯＦＦ状態のときに液晶ライトバルブ４００Ｇ，４００Ｂの光透過率が最大となる光の波長域が、液晶ライトバルブ４００Ｇ，４００Ｂが配置される光路の色光（緑色光又は青色光）の波長域よりも長波長側に存在することとなる。これらは、青色光、緑色光及び赤色光の間の屈折率に起因する。
【００６１】
液晶駆動装置７００は、各液晶パネル４１０Ｒ，４１０Ｇ，４１０Ｂに対して画像情報に基づく駆動電圧を供給し、液晶パネル４１０Ｒ，４１０Ｇ，４１０Ｂを駆動させる。
【００６２】
電圧印加装置７１０は、液晶ライトバルブ４００Ｇ，４００Ｂの液晶パネル４１０Ｇ，４１０Ｂに対して、それぞれ所定のバイアス電圧を印加する機能を有する。当該所定のバイアス電圧は、それぞれの色光の波長領域範囲内での視感度が最大となる波長において、液晶ライトバルブの光透過率が色光毎に異ならないように光透過率の差を小さくする、又は無くするように調整された電圧である。詳しくは後述する。
【００６３】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、青色光を反射するものであり、他方の界面に形成された誘電体多層膜は、赤色光を反射するものである。これらの誘電体多層膜によって青色光及び赤色光は曲折され、緑色光の進行方向と揃えられることにより、３つの色光が合成される。
【００６４】
クロスダイクロイックプリズム５００から射出されたカラー画像は、投写光学系６００によって拡大投写され、スクリーンＳＣＲ上で大画面画像を形成する。
【００６５】
ここで、実施形態１に係るプロジェクタ１０００をさらに詳細に説明するにあたり、実施形態１の比較例に係るプロジェクタ１０００ａを説明する。
【００６６】
比較例に係るプロジェクタ１０００ａ（図示せず。）は、基本的には実施形態１に係るプロジェクタ１０００とよく似た構成を有するが、液晶ライトバルブの構成が実施形態１に係るプロジェクタ１０００とは異なる。
【００６７】
すなわち、比較例に係るプロジェクタ１０００ａにおいては、赤色光用の液晶ライトバルブ、緑色光用の液晶ライトバルブ及び青色光用の液晶ライトバルブとして、液晶パネルに対して電圧を印加しない電圧ＯＦＦ状態のときに当該液晶ライトバルブの光透過率が最大となる光の波長域（λA0）が、青色光と緑色光との間に存在するように構成されている。
【００６８】
このため、青色光用の液晶ライトバルブについては、電圧ＯＦＦ時では、液晶パネルに入射する青色光の波長域（λB）の偏光は直線偏光であるが、液晶パネルから射出される青色光の波長域（λB）の偏光は、入射した直線偏光に交差する直線偏光よりもさらに変調された楕円偏光となってしまい（偏光状態については図７を援用して参照。）、液晶パネルで変調された後の青色光の波長域（λB）の光の一部が射出側偏光板で遮断されてしまうため、青色光の波長域（λB）の光透過率が低下する（図２（ａ）参照。）。このとき、青色光用の液晶パネルから射出される当該楕円偏光については、青色光用の液晶ライトバルブの液晶パネルに対して所定のバイアス電圧を印加することにより、青色光の波長域（λB）の光を射出側偏光板を透過する直線偏光に変調して液晶パネルから射出することができるため、液晶パネルに所定のバイアス電圧が印加された青色光用の液晶ライトバルブの上記波長域（λB）での光透過率を液晶パネルに電圧を印加しない場合の青色光用の液晶ライトバルブの上記波長域（λA0）での光透過率に近づける、または液晶パネルに所定のバイアス電圧が印加された青色光用の液晶ライトバルブの上記波長域（λB）での光透過率を液晶パネルに電圧を印加しない場合の青色光用の液晶ライトバルブの上記波長域（λA0）での光透過率に揃えることが可能となる。これにより、例えばプロジェクタ１０００ａで最高輝度の画像を表示する場合に、青色光用の液晶ライトバルブの液晶パネルに対して所定のバイアス電圧を印加して、液晶パネルに所定のバイアス電圧が印加された青色光用の液晶ライトバルブの上記波長域（λB）での光透過率と、液晶パネルに電圧を印加しない場合の青色光用の液晶ライトバルブの波長域（λA0）での光透過率の差を小さくする、または両者の光透過率の差を無くすることが可能となるため、上述した光の損失の発生を抑制することができ、青色光の光利用効率の低下を抑制することが可能となる。
【００６９】
しかしながら、緑色光用の液晶ライトバルブ及び赤色光用の液晶ライトバルブについては、以下の理由から、緑色光及び赤色光の光利用効率の低下を抑制することができない。すなわち、緑色光用の液晶ライトバルブ及び赤色光用の液晶ライトバルブについては、電圧ＯＦＦ時では、各液晶パネルに入射する緑色光の波長域（λG）及び赤色光の波長域（λR）の偏光は直線偏光であるが、各液晶パネルから射出される緑色光の波長域（λG）及び赤色光の波長域（λR）の偏光は、入射した直線偏光に交差する直線偏光となるまで変調されておらず、楕円偏光の状態で射出されてしまうため（偏光状態については図７を援用して参照。）、液晶パネルで変調された後の緑色光の波長域（λG）及び赤色光の波長域（λR）の光の一部が射出側偏光板で遮断されてしまい、緑色光の波長域（λG）及び赤色光の波長域（λR）の光透過率が低下する（図２（ａ）参照。）。このとき、緑色光用の液晶ライトバルブ及び赤色光用の液晶ライトバルブの液晶パネルに対して所定のバイアス電圧を印加したとしても、緑色光の波長域（λG）及び赤色光の波長域（λR）の光への変調の足りなさを補償することができず、緑色光の波長域（λG）での液晶ライトバルブの光透過率及び赤色光の波長域（λR）での液晶ライトバルブの光透過率を液晶パネルに電圧を印加しない場合の液晶ライトバルブの上記波長域（λA0）での光透過率に近づける、または上記波長域（λG）での液晶ライトバルブの光透過率及び上記波長域（λR）での液晶ライトバルブの光透過率を液晶パネルに電圧を印加しない場合の液晶ライトバルブの上記波長域（λA0）での光透過率に揃えることができない。つまり、緑色光用の液晶ライトバルブ及び赤色光用の液晶ライトバルブの各液晶パネルに所定のバイアス電圧を印加したとしても、各色光の波長域での液晶ライトバルブの光透過率を上げることはできない。その結果、例えばプロジェクタ１０００ａで最高輝度の画像を表示する場合に、緑色光及び赤色光については、上述した光の損失の発生を抑制することができず、緑色光及び赤色光の光利用効率の低下を抑制することができない。
【００７０】
これに対し、上述のように構成された実施形態１に係るプロジェクタ１０００によれば、液晶ライトバルブ４００Ｒは、液晶パネル４１０Ｒに対して電圧を印加しない電圧ＯＦＦ状態のときに当該液晶ライトバルブ４００Ｒの光透過率が最大となる光の波長域（λA）が、赤色光の波長域（λR）と同じ波長域に存在するように構成されているため、赤色光の光利用効率を向上することが可能となる。
【００７１】
また、実施形態１に係るプロジェクタ１０００によれば、液晶ライトバルブ４００Ｇ，４００Ｂは、電圧ＯＦＦ状態のときに液晶ライトバルブ４００Ｇ，４００Ｂの光透過率が最大となる光の波長域（λA）が、液晶ライトバルブ４００Ｇ，４００Ｂが配置される光路の色光の波長域（緑色光の波長域（λG）及び青色光の波長域（λB））よりも長波長側に存在するように構成されている。
このとき、電圧ＯＦＦ時では、上述の比較例に係るプロジェクタ１０００ａの場合と同様に、図３（ａ）に示すように、各液晶パネル４１０Ｇ，４１０Ｂから射出される波長域（λG）及び波長域（λB）の偏光は、入射した直線偏光に交差する直線偏光よりもさらに変調された楕円偏光となってしまい、各液晶パネル４１０Ｇ，４１０Ｂで変調された後の波長域（λG）及び波長域（λB）の光の一部が射出側偏光板４３０Ｇ，４３０Ｂで遮断されてしまうため、波長域（λG）及び波長域（λB）の光透過率が低下する。しかしながら、緑色光用の液晶パネル４１０Ｇ及び青色光用の液晶パネル４１０Ｂから射出される当該楕円偏光については、上述した電圧印加装置７１０によって当該液晶パネル４１０Ｇ，４１０Ｂに対して所定のバイアス電圧を印加する（図２（ｂ）参照。）ことにより、図３（ｂ）に示すように、波長域（λG）及び波長域（λB）の光を射出側偏光板４３０Ｇ，４３０Ｂを透過する直線偏光に変調することができるため、液晶パネル４１０Ｇ，４１０Ｂに所定のバイアス電圧が印加された液晶ライトバルブ４００Ｇ，４００Ｂの上記波長域（λG）及び波長域（λB）での光透過率を液晶パネル４１０Ｇ，４１０Ｂに電圧を印加しない場合の液晶ライトバルブ４００Ｇ，４００Ｂの上記波長域（λA）での光透過率に近づける、または液晶パネル４１０Ｇ，４１０Ｂに所定のバイアス電圧が印加された液晶ライトバルブ４００Ｇ，４００Ｂの上記波長域（λG）及び波長域（λB）での光透過率を液晶パネル４１０Ｇ，４１０Ｂに電圧を印加しない場合の液晶ライトバルブ４００Ｇ，４００Ｂの上記波長域（λA）での光透過率に揃えることが可能となる。これにより、特にプロジェクタ１０００で最高輝度の画像を表示する場合に、当該液晶ライトバルブ４００Ｇ，４００Ｂの上記波長域（λG）及び波長域（λB）での光透過率と液晶パネル４１０Ｇ，４１０Ｂに電圧を印加しない場合の液晶ライトバルブ４００Ｇ，４００Ｂの上記波長域（λA）での光透過率との差を小さくする、または両者の光透過率の差を無くすることが可能となるため、上述した光の損失の発生を抑制することができ、緑色光及び青色光の光利用効率の低下を抑制することが可能となる。
【００７２】
したがって、実施形態１に係るプロジェクタ１０００は、ＴＮ型でかつノーマリーホワイト方式の液晶パネルを複数備えるプロジェクタにおいて、光利用効率をさらに向上することが可能なプロジェクタとなる。
【００７３】
また、実施形態１に係るプロジェクタ１０００によれば、赤色光の光利用効率を向上することが可能となるため、明るさを維持しつつ色温度を低下させたり、投影される白い画像の色座標が黒体軌跡上に近づけさせたりすることが可能となる。その結果、実施形態１に係るプロジェクタ１０００は、家庭で映画等を鑑賞するためのホーム用プロジェクタに対して特に効果が大きい。
【００７４】
実施形態１に係るプロジェクタ１０００においては、液晶ライトバルブ４００Ｒ，４００Ｇ，４００Ｂは、液晶パネル４１０Ｒ，４１０Ｇ，４１０Ｂに対して電圧を印加しない電圧ＯＦＦ状態のときに当該液晶ライトバルブ４００Ｒ，４００Ｇ，４００Ｂの光透過率が最大となる光の波長域が、赤色光の波長域と同じ波長域に存在するように構成されている。これにより、すべての液晶ライトバルブの構成を同じものとすることができるため、プロジェクタを製造する際のコストを低減することが可能となる。
【００７５】
実施形態１に係るプロジェクタ１０００においては、電圧印加装置７１０が印加する所定のバイアス電圧は、視感度が最大となる電圧であるため、より明るい投写画像を得ることが可能となる。
【００７６】
［実施形態２］
実施形態２では、ＶＡ型でかつノーマリーブラック方式の液晶パネルを複数備えるプロジェクタの場合について説明する。
図４は、実施形態２に係るプロジェクタ１００２の光学系を示す図である。
図５は、実施形態２に係るプロジェクタ１００２を説明するために示す図である。図５（ａ）は後述する比較例に係るプロジェクタ１００２ａにおける液晶パネルに印加する所定の第１電圧と液晶ライトバルブの光透過率との関係を示す図であり、図５（ｂ）は実施形態２に係るプロジェクタ１００２における液晶パネルに印加する所定の第２電圧と液晶ライトバルブの光透過率との関係を示す図である。
図６は、実施形態２に係るプロジェクタ１００２を説明するために示す図である。図６（ａ）は液晶パネル４１２Ｒ，４１２Ｇ，４１２Ｂに対して第１電圧を印加した電圧ＯＮ状態のときの、液晶パネル４１２Ｒ，４１２Ｇ，４１２Ｂに入射する光の偏光状態（直線偏光、楕円偏光、円偏光）を模式的に示す図であり、図６（ｂ）は液晶パネル４１２Ｇ，４１２Ｂに対して所定の第２電圧が印加されたときの、液晶パネル４１２Ｒ，４１２Ｇ，４１２Ｂに入射する光の偏光状態を模式的に示す図である。
なお、図４において、図１と同一の部材については同一の符号を付し、詳細な説明は省略する。
【００７７】
実施形態２に係るプロジェクタ１００２は、図４から分かるように、基本的には実施形態１に係るプロジェクタ１０００と同様の構成を有するが、液晶ライトバルブの構成及び電圧印加装置を備えていない点で、実施形態１に係るプロジェクタ１０００とは異なる。また、実施形態２に係るプロジェクタ１００２は、液晶ライトバルブの構成及び電圧印加装置を備えていないことに応じて、液晶駆動装置の機能が、実施形態１に係るプロジェクタ１０００とは異なる。
【００７８】
すなわち、実施形態２に係るプロジェクタ１００２においては、液晶ライトバルブ４０２Ｒ，４０２Ｇ，４０２Ｂは、ＶＡ型でかつノーマリーブラック方式の液晶パネル４１２Ｒ，４１２Ｇ，４１２Ｂと、液晶パネル４１２Ｒ，４１２Ｇ，４１２Ｂの光入射側に配置される入射側偏光板４２０Ｒ，４２０Ｇ，４２０Ｂと、液晶パネル４１２Ｒ，４１２Ｇ，４１２Ｂの光射出側に配置され、入射側偏光板４２０Ｒ，４２０Ｇ，４２０Ｂを透過する偏光の偏光軸と直交する偏光軸の偏光を透過する射出側偏光板４３０Ｒ，４３０Ｇ，４３０Ｂとを有する。
【００７９】
液晶ライトバルブ４０２Ｒ，４０２Ｇ，４０２Ｂのそれぞれは、液晶パネル４１２Ｒ，４１２Ｇ，４１２Ｂに対して所定の第１電圧を印加した電圧ＯＮ状態のときに液晶ライトバルブ４０２Ｒ，４０２Ｇ，４０２Ｂの光透過率が最大となる光の波長域が、色分離光学系２００で分離される３つの色光（赤色光、緑色光及び青色光）のうち最も長波長となる赤色光の波長域と同じ波長域に存在するように構成されている。
【００８０】
したがって、液晶ライトバルブ４０２Ｇ，４０２Ｂは、電圧ＯＮ状態のときに液晶ライトバルブ４０２Ｇ，４０２Ｂの光透過率が最大となる光の波長域が、液晶ライトバルブ４０２Ｇ，４０２Ｂが配置される光路の色光（緑色光又は青色光）の波長域よりも長波長側に存在することとなる。
【００８１】
液晶駆動装置７０２（図示せず。）は、各液晶パネル４１２Ｒ，４１２Ｇ，４１２Ｂに対して画像情報に基づく駆動電圧を供給し、液晶パネル４１２Ｒ，４１２Ｇ，４１２Ｂを駆動させる機能に加えて、液晶ライトバルブ４０２Ｇ，４０２Ｂの液晶パネル４１２Ｇ，４１２Ｂに対して、それぞれ所定の第２電圧を印加する機能を有する。当該所定の第２電圧は、それぞれの色光の波長領域範囲内での視感度が最大となる波長において、液晶ライトバルブの光透過率が色光毎に異ならないように光透過率の差を小さくする、又は無くするように調整された電圧である。
【００８２】
実施形態２に係るプロジェクタ１００２をさらに詳細に説明するにあたり、実施形態２の比較例に係るプロジェクタ１００２ａを説明する。
【００８３】
比較例に係るプロジェクタ１００２ａ（図示せず。）は、基本的には実施形態２に係るプロジェクタ１００２とよく似た構成を有するが、液晶ライトバルブの構成が実施形態２に係るプロジェクタ１００２とは異なる。
【００８４】
すなわち、比較例に係るプロジェクタ１００２ａにおいては、赤色光用の液晶ライトバルブ、緑色光用の液晶ライトバルブ及び青色光用の液晶ライトバルブとして、液晶パネルに対して所定の第１電圧を印加した電圧ＯＮ状態のときに当該液晶ライトバルブの光透過率が最大となる光の波長域（λA0）が、青色光と緑色光との間に存在するように構成されている。
【００８５】
このため、青色光用の液晶ライトバルブについては、電圧ＯＮ時では、液晶パネルに入射する青色光の波長域（λB）の偏光は直線偏光であるが、液晶パネルから射出される青色光の波長域（λB）の偏光は、入射した直線偏光に交差する直線偏光よりもさらに変調された楕円偏光となってしまい（偏光状態については図８を援用して参照。）、液晶パネルで変調された後の青色光の波長域（λB）の光の一部が射出側偏光板で遮断されてしまうため、青色光の波長域（λB）の光透過率が低下する（図５（ａ）参照。）。このとき、青色光用の液晶パネルから射出される当該楕円偏光については、青色光用の液晶ライトバルブの液晶パネルに対して所定の第２電圧を印加することにより、青色光の波長域（λB）の光を射出側偏光板を透過する直線偏光に変調して液晶パネルから射出することができるため、液晶パネルに所定のバイアス電圧が印加された青色光用の液晶ライトバルブの上記波長域（λB）での光透過率を液晶パネルに電圧を印加しない場合の青色光用の液晶ライトバルブの上記波長域（λA0）での光透過率に近づける、または液晶パネルに所定のバイアス電圧が印加された青色光用の液晶ライトバルブの上記波長域（λB）での液晶ライトバルブの光透過率を液晶パネルに電圧を印加しない場合の青色光用の液晶ライトバルブの上記波長域（λA0）での光透過率に揃えることが可能となる。これにより、例えばプロジェクタ１００２ａで最高輝度の画像を表示する場合に、液晶パネルに所定のバイアス電圧が印加された青色光用の液晶ライトバルブの上記波長域（λB）での光透過率と液晶パネルに電圧を印加しない場合の青色光用の液晶ライトバルブの波長域（λA0）での光透過率の差を小さくする、または両者の光透過率の差を無くすることが可能となるため、上述した光の損失の発生を抑制することができ、青色光の光利用効率の低下を抑制することが可能となる。
【００８６】
しかしながら、緑色光用の液晶ライトバルブ及び赤色光用の液晶ライトバルブについては、以下の理由から、緑色光及び赤色光の光利用効率の低下を抑制することができない。すなわち、緑色光用の液晶ライトバルブ及び赤色光用の液晶ライトバルブについては、電圧ＯＮ時では、各液晶パネルに入射する緑色光の波長域（λG）及び赤色光の波長域（λR）の偏光は直線偏光であるが、各液晶パネルから射出される緑色光の波長域（λG）及び赤色光の波長域（λR）の偏光は、入射した直線偏光に交差する直線偏光となるまで変調されておらず、楕円偏光の状態で射出されてしまうため（偏光状態については図８を援用して参照。）、液晶パネルで変調された後の緑色光の波長域（λG）及び赤色光の波長域（λR）の光の一部が射出側偏光板で遮断されてしまい、緑色光の波長域（λG）及び赤色光の波長域（λR）の光透過率が低下する（図５（ａ）参照。）。このとき、緑色光用の液晶ライトバルブ及び赤色光用の液晶ライトバルブの液晶パネルに対して所定の第２電圧を印加したとしても、緑色光の波長域（λG）及び赤色光の波長域（λR）の光への変調の足りなさを補償することができず、緑色光の波長域（λG）での液晶ライトバルブの光透過率及び赤色光の波長域（λR）での液晶ライトバルブの光透過率を液晶パネルに電圧を印加しない場合の液晶ライトバルブの上記波長域（λA0）での光透過率に近づける、または上記波長域（λG）での液晶ライトバルブの光透過率及び上記波長域（λR）での液晶ライトバルブの光透過率を液晶パネルに電圧を印加しない場合の液晶ライトバルブの上記波長域（λA0）での光透過率に揃えることができない。つまり、緑色光用の液晶ライトバルブ及び赤色光用の液晶ライトバルブの各液晶パネルに所定の第２電圧を印加したとしても、各色光の波長域での液晶ライトバルブの光透過率を上げることはできない。その結果、例えばプロジェクタ１００２ａで最高輝度の画像を表示する場合に、緑色光及び赤色光については、上述した光の損失の発生を抑制することができず、緑色光及び赤色光の光利用効率の低下を抑制することができない。
【００８７】
これに対し、上述のように構成された実施形態２に係るプロジェクタ１００２によれば、液晶ライトバルブ４０２Ｒは、液晶パネル４１２Ｒに対して第１電圧を印加した電圧ＯＮ状態のときに当該液晶ライトバルブ４０２Ｒの光透過率が最大となる光の波長域（λA）が、赤色光の波長域（λR）と同じ波長域に存在するように構成されているため、赤色光の光利用効率を向上することが可能となる。
【００８８】
また、実施形態２に係るプロジェクタ１００２によれば、液晶ライトバルブ４０２Ｇ，４０２Ｂは、電圧ＯＮ状態のときに液晶ライトバルブ４０２Ｇ，４０２Ｂの光透過率が最大となる光の波長域（λA）が、液晶ライトバルブ４０２Ｇ，４０２Ｂが配置される光路の色光の波長域（緑色光の波長域（λG）及び青色光の波長域（λB））よりも長波長側に存在するように構成されている。
このとき、電圧ＯＮ時では、上述の比較例に係るプロジェクタ１００２ａの場合と同様に、図６（ａ）に示すように、各液晶パネル４１２Ｇ，４１２Ｂから射出される波長域（λG）及び波長域（λB）の偏光は、入射した直線偏光に交差する直線偏光よりもさらに変調された楕円偏光となってしまい、各液晶パネル４１２Ｇ，４１２Ｂで変調された後の波長域（λG）及び波長域（λB）の光の一部が射出側偏光板４３０Ｇ，４３０Ｂで遮断されてしまうため、波長域（λG）及び波長域（λB）の光透過率が低下する。しかしながら、緑色光用の液晶パネル及び青色光用の液晶パネルから射出される当該楕円偏光については、上述した液晶駆動装置７０２によって当該液晶ライトバルブ４０２Ｇ，４０２Ｂに対して第１電圧よりも低い所定の第２電圧を印加する（図５（ｂ）参照。）ことにより、図６（ｂ）に示すように、波長域（λG）及び波長域（λB）の光を射出側偏光板４３０Ｇ，４３０Ｂを透過する直線偏光に変調することができるため、液晶パネル４１０Ｇ，４１０Ｂに第２電圧が印加された液晶ライトバルブ４００Ｇ，４００Ｂの上記波長域（λG）及び波長域（λB）での光透過率を液晶パネル４１０Ｇ，４１０Ｂに第１電圧が印加された場合の液晶ライトバルブ４００Ｇ，４００Ｂの上記波長域（λA）での光透過率に近づける、または液晶パネル４１０Ｇ，４１０Ｂに第２電圧が印加された液晶ライトバルブ４００Ｇ，４００Ｂの上記波長域（λG）及び波長域（λB）での光透過率を液晶パネル４１０Ｇ，４１０Ｂに第１電圧が印加された場合の液晶ライトバルブ４００Ｇ，４００Ｂの上記波長域（λA）での光透過率に揃えることが可能となる。これにより、特にプロジェクタ１００２で最高輝度の画像を表示する場合に、当該液晶ライトバルブ４００Ｇ，４００Ｂの上記波長域（λG）及び波長域（λB）での光透過率と液晶パネル４１０Ｇ，４１０Ｂに電圧を印加しない場合の液晶ライトバルブ４００Ｇ，４００Ｂの上記波長域（λA）での光透過率との差を小さくする、または両者の光透過率の差を無くすることが可能となるため、上述した光の損失の発生を抑制することができ、緑色光及び青色光の光利用効率の低下を抑制することが可能となる。
【００８９】
したがって、実施形態２に係るプロジェクタ１００２は、ＶＡ型でかつノーマリーブラック方式の液晶パネルを複数備えるプロジェクタにおいて、光利用効率をさらに向上することが可能なプロジェクタとなる。
【００９０】
また、実施形態２に係るプロジェクタ１００２によれば、赤色光の光利用効率を向上することが可能となるため、明るさを維持しつつ色温度を低下させたり、投影される白い画像の色座標が黒体軌跡上に近づけさせたりすることが可能となる。その結果、実施形態２に係るプロジェクタ１００２は、家庭で映画等を鑑賞するためのホーム用プロジェクタに対して特に効果が大きい。
【００９１】
実施形態２に係るプロジェクタ１００２においては、液晶ライトバルブ４０２Ｒ，４０２Ｇ，４０２Ｂは、液晶パネル４１２Ｒ，４１２Ｇ，４１２Ｂに対して第１電圧を印加した電圧ＯＮ状態のときに当該液晶ライトバルブ４０２Ｒ，４０２Ｇ，４０２Ｂの光透過率が最大となる光の波長域が、赤色光の波長域と同じ波長域に存在するように構成されている。これにより、すべての液晶ライトバルブの構成を同じものとすることができるため、プロジェクタを製造する際のコストを低減することが可能となる。
【００９２】
実施形態２に係るプロジェクタ１００２においては、液晶駆動装置７０２が印加する所定の第２電圧は、視感度が最大となる電圧であるため、より明るい投写画像を得ることが可能となる。
【００９３】
以上、本発明のプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【００９４】
上記実施形態１においては、赤色光用の液晶ライトバルブ、緑色光用の液晶ライトバルブ及び青色光用の液晶ライトバルブとして、液晶パネルに対して電圧を印加しない電圧ＯＦＦ状態のときに当該液晶ライトバルブの光透過率が最大となる光の波長域が、赤色光の波長域と同じ波長域に存在するように構成された液晶ライトバルブを用いたが、本発明はこれに限定されるものではない。例えば、緑色光用の液晶ライトバルブとして、液晶パネルに対して電圧を印加しない電圧ＯＦＦ状態のときに当該液晶ライトバルブの光透過率が最大となる光の波長域が、緑色光の波長域と同じ波長域に存在するように構成された液晶ライトバルブを用いてもよい。また、青色光用の液晶ライトバルブとして、液晶パネルに対して電圧を印加しない電圧ＯＦＦ状態のときに当該液晶ライトバルブの光透過率が最大となる光の波長域が、青色光の波長域又は緑色光の波長域と同じ波長域に存在するように構成された液晶ライトバルブを用いてもよい。しかし、この場合においては、複数の液晶ライトバルブのうち少なくとも２つの液晶ライトバルブを同一の構成とし、電圧ＯＦＦ状態のときに当該液晶ライトバルブの光透過率が最大となる光の波長域よりも短い波長域の光を変調する液晶ライトバルブでは、プロジェクタが最高輝度の画像を表示する場合に、所定のバイアス電圧を印加して、変調する光の波長域での液晶ライトバルブの光透過率が最大値となるように調整することとする。
【００９５】
上記実施形態２においては、赤色光用の液晶ライトバルブ、緑色光用の液晶ライトバルブ及び青色光用の液晶ライトバルブとして、液晶パネルに対して第１電圧を印加した電圧ＯＮ状態のときに当該液晶ライトバルブの光透過率が最大となる光の波長域が、赤色光の波長域と同じ波長域に存在するように構成された液晶ライトバルブを用いたが、本発明はこれに限定されるものではない。例えば、緑色光用の液晶ライトバルブとして、液晶パネルに対して第１電圧を印加した電圧ＯＮ状態のときに当該液晶ライトバルブの光透過率が最大となる光の波長域が、緑色光の波長域と同じ波長域に存在するように構成された液晶ライトバルブを用いてもよい。また、青色光用の液晶ライトバルブとして、液晶パネルに対して第１電圧を印加した電圧ＯＮ状態のときに当該液晶ライトバルブの光透過率が最大となる光の波長域が、青色光の波長域又は緑色光の波長域と同じ波長域に存在するように構成された液晶ライトバルブを用いてもよい。しかし、この場合においては、複数の液晶ライトバルブのうち少なくとも２つの液晶ライトバルブを同一の構成とし、電圧ＯＮ状態のときに当該液晶ライトバルブの光透過率が最大となる光の波長域よりも短い波長域の光を変調する液晶ライトバルブでは、プロジェクタが最高輝度の画像を表示する場合に、所定の第２電圧を印加して、変調する光の波長域での液晶ライトバルブの光透過率が最大値となるように調整することとする。
【００９６】
上記各実施形態においては、赤色光用の液晶ライトバルブ、緑色光用の液晶ライトバルブ及び青色光用の液晶ライトバルブのすべてにおいて、同じ構成からなる液晶ライトバルブを用いたが、本発明はこれに限定されるものではなく、３つの液晶ライトバルブのうち２つの液晶ライトバルブについて同じ構成からなるものを用いてもよい。
【００９７】
上記各実施形態においては、電圧印加装置が印加する所定のバイアス電圧又は液晶駆動装置が印加する所定の第２電圧が、当該液晶パネルで変調される色光において視感度が最大となる波長域における液晶ライトバルブの透過率が最大となるように調整された電圧である場合を例示して説明したが、本発明はこれに限定されるものではなく、当該液晶パネルで変調される色光において三刺激値が最大となる波長域における液晶ライトバルブの光透過率が最大となるように調整された電圧であってもよい。具体的には、赤色光を変調する液晶パネルであれば、三刺激値Ｘが最大となる波長域の光透過率が最大となるようにバイアス電圧又は所定の第２電圧が設定され、緑色光を変調する液晶パネルであれば、三刺激値Ｙが最大となる波長域の光透過率が最大となるようにバイアス電圧又は所定の第２電圧が設定され、青色光を変調する液晶パネルであれば、三刺激値Ｚが最大となる波長域の光透過率が最大となるようにバイアス電圧又は所定の第２電圧が設定される。なお、いずれの場合であっても、色光毎の光透過率が同等となるように当該所定のバイアス電圧又は当該所定の第２電圧が微調整されていてもよい。
【００９８】
上記実施形態１においては、液晶駆動装置と電圧印加装置とを別々に備える場合を例示して説明したが、本発明はこれに限定されるものではない。例えば、液晶駆動装置と電圧印加装置とが一体となっており、当該装置が、上述の所定のバイアス電圧を印加する機能を有するものであってもよい。
【００９９】
上記各実施形態においては、発光管に配設される反射手段として副鏡を用いたが、本発明はこれに限定されるものではなく、反射手段として反射膜を用いることも好ましい。また、上記各実施形態においては、発光管に反射手段としての副鏡が配設されたプロジェクタを例示して説明しているが、本発明はこれに限定されるものではなく、副鏡が配設されていないプロジェクタに本発明を適用することも可能である。
【０１００】
上記各実施形態においては、光源装置として、楕円面リフレクタ及び凹レンズからなる光源装置を用いたが、本発明はこれに限定されるものではなく、放物面リフレクタからなる光源装置を用いることも好ましい。
【０１０１】
上記各実施形態においては、光均一化光学系として、レンズアレイからなるレンズインテグレータ光学系を用いたが、本発明はこれに限定されるものではなく、ロッド部材からなるロッドインテグレータ光学系をも好ましく用いることができる。
【０１０２】
上記各実施形態は透過型のプロジェクタであるが、本発明はこれに限定されるものではない。本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置等のように光変調手段としての電気光学変調装置が光を反射するタイプであることを意味している。反射型のプロジェクタにこの発明を適用した場合にも、透過型のプロジェクタと同様の効果を得ることができる。
具体的には、照明装置からの光が反射型液晶パネルの光入出射面から入射し液晶層を往復して当該光入射出面から射出され、その射出された光が偏光板によって投写する画像として利用する光と投写しない光とに分離される反射型の液晶ライトバルブの場合においても、ノーマリーホワイトであれば、電圧ＯＦＦ状態で各色光のうちより長波長側の波長域の色光の画像として利用される光の照度が最大となるように各反射型液晶パネルを構成することにより、上記各実施形態の透過型の液晶ライトバルブと同様の効果を得ることができる。また、ノーマリーブラックであれば、所定の第１電圧を印加した電圧ＯＮ状態で各色光のうちより長波長側の波長域の色光の画像として利用される光の照度が最大となるように各反射型液晶パネルを構成することにより、上記各実施形態の透過型の液晶ライトバルブと同様の効果を得ることができる。
【０１０３】
上記実施形態に係るプロジェクタ１０００及びプロジェクタ１００２においては、３つの液晶ライトバルブ４００Ｂ，４００Ｇ，４００Ｒを用いたプロジェクタを例示して説明したが、本発明はこれに限定されるものではなく、２つ又は４つ以上の液晶ライトバルブを用いたプロジェクタにも適用可能である。
【０１０４】
本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１０５】
【図１】実施形態１に係るプロジェクタ１０００の光学系を示す図。
【図２】実施形態１に係るプロジェクタ１０００を説明するために示す図。
【図３】実施形態１に係るプロジェクタ１０００を説明するために示す図。
【図４】実施形態２に係るプロジェクタ１００２の光学系を示す図。
【図５】実施形態２に係るプロジェクタ１００２を説明するために示す図。
【図６】実施形態２に係るプロジェクタ１００２を説明するために示す図。
【図７】従来のプロジェクタにおける問題点を説明するために示す図。
【図８】従来のプロジェクタにおける問題点を説明するために示す図。
【符号の説明】
【０１０６】
１００…照明装置、１１０…光源装置、１１２…発光管、１１４…楕円面リフレクタ、１１６…副鏡、１１８…凹レンズ、１２０…第１レンズアレイ、１２２…第１小レンズ、１３０…第２レンズアレイ、１３２…第２小レンズ、１４０…偏光変換素子、１５０…重畳レンズ、２００…色分離光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４００Ｒ，４００Ｇ，４００Ｂ，４０２Ｒ，４０２Ｇ，４０２Ｂ…液晶ライトバルブ、４１０Ｒ，４１０Ｇ，４１０Ｂ，４１２Ｒ，４１２Ｇ，４１２Ｂ…液晶パネル、４２０Ｒ，４２０Ｇ，４２０Ｂ…入射側偏光板、４３０Ｒ，４３０Ｇ，４３０Ｂ…射出側偏光板、５００…クロスダイクロイックプリズム、６００…投写光学系、１０００，１００２…プロジェクタ、ＯＣ…照明光軸、ＳＣＲ…スクリーン。
【図１】
2009186953.tif 000003
【図２】
2009186953.tif 000004
【図３】
2009186953.tif 000005
【図４】
2009186953.tif 000006
【図５】
2009186953.tif 000007
【図６】
2009186953.tif 000008
【図７】
2009186953.tif 000009
【図８】
2009186953.tif 000010